(57)【要約】【課題】床および壁の双方の強度を高めることができ、総建築コストを低減することができる建物構造および建物の施工方法を提供する。【解決手段】最下階用壁構造体１４および上階用壁構造体１７が、面材と枠材とを一体化して形成されている。最下階および上階の壁は、最下階用壁構造体１４および上階用壁構造体１７により耐力壁になっている。床梁材１５が、最下階用壁構造体１４の上部に設けられている。天井梁材１８が、上階用壁構造体１７の上部に設けられている。複数のトラス２０が、矩形枠の内側に幅方向に沿った複数の横架材が取り付けられて梯子状に形成された、フィーレンデールトラス２０から成っている。各トラス２０は、小屋裏に各横架材が鉛直になるよう設けられ、上部側縁で垂木２１を支持可能に、垂木２１に対して垂直になるよう配置されている。【選択図】図１
2008223358.tif 000002
【特許請求の範囲】
【請求項１】
面材と枠材とを一体化して形成された複数の壁構造体と、
各壁構造体の上部に設けられた梁材とを、
有することを特徴とする建物構造。
【請求項２】
小屋裏と複数のトラスとを有し、
各トラスは矩形枠の内側に幅方向に沿った複数の横架材が取り付けられて梯子状に形成されており、小屋裏に各横架材が鉛直になるよう設けられ、垂木を前記矩形枠の上部側縁に対し垂直にして支持していることを、
特徴とする請求項１記載の建物構造。
【請求項３】
最下階床板を敷設した後、前記最下階床板の上部に、面材と枠材とを一体化して形成された複数の壁構造体を立ち上げて壁を形成し、各壁構造体の上部に梁材を設け、前記梁材の上部に上階床板または小屋裏床板を敷設することを、特徴とする建物の施工方法。
【請求項４】
最下階床板を敷設した後、前記最下階床板の上部に、面材と枠材とを一体化して形成された複数の最下階用壁構造体を立ち上げて最下階の壁を形成し、各最下階用壁構造体の上部に床梁材を設け、前記床梁材の上部に上階床板を敷設し、前記上階床板の上部に、面材と枠材とを一体化して形成された複数の上階用壁構造体を立ち上げて上階の壁を形成し、各上階用壁構造体の上部に天井梁材を設け、前記天井梁材の上部に小屋裏床板を敷設することを、特徴とする建物の施工方法。
【請求項５】
前記小屋裏床板の上部に、矩形枠の内側に幅方向に沿った複数の横架材が取り付けられて梯子状に形成された複数のトラスを各横架材が鉛直になるように設け、各トラスの上部側縁に対して垂直に伸びるよう垂木を設置することを、特徴とする請求項３または４記載の建物の施工方法。
【発明の詳細な説明】
【技術分野】
【０００１】
本発明は、建物構造および建物の施工方法に関する。
【背景技術】
【０００２】
一般的な木造建築物の建物構造は、柱と梁とを使用して組み立てる軸組構造および、柱や梁を使用せず壁枠や床根太を使用するツーバイフォー（２×４）と呼ばれる枠組壁構造（例えば、特許文献１または２参照）の２種類に大きく分けられる。軸組構造は、耐力壁に上下階でずれが生じても、柱と梁とを使用して耐力壁を構成するため、間取りに自由度があるという特徴がある。枠組壁構造は、材料種類の均一化により施工品質の確保が容易で、壁の強度が高く、材料費や材料の加工コストが安いという特徴がある。
【０００３】
【特許文献１】特開２００３−１１９９１８号公報
【特許文献２】特開平６−２３５８号公報
【発明の開示】
【発明が解決しようとする課題】
【０００４】
しかしながら、従来の軸組構造では、柱や間柱などの垂直材や土台や梁材、屋根に使用する束や母屋など材料の種類が多いため、材料の継手や接合箇所に特殊加工や特殊な接合金物を用いなければならず、材料費や加工コストが嵩むとともに建物全体の品質にばらつきが生じるという課題があった。また壁に筋違を設けても、土台・柱・梁・筋違の接合部に応力が集中して破壊しやすく、枠組壁構造の壁に比べて、地震や風圧力などの横からの応力に弱いという課題もあった。また、軸組構造では、開口部と壁部とで梁材の寸法が異なることがあり、寸法が異なる梁材端部の接続部分に継手が形成されている。この継手部分に応力が集中しやすく、継手に強靭な接合加工や金物の施工が必要となり、材料費や加工コストが嵩むという課題もあった。さらに、柱や枠材などの垂直材と土台梁・母屋などの横架材とを組み合わせて施工および緊結するため、ホゾなどの特殊な加工やそれに代わる金物および金物取付に必要な加工が必要であり、施工コストや材料費が嵩むという課題もあった。なお、従来の軸組構造では、垂直材と横架材との難しい接合を、プレカット加工または金物工法によって解決しようとしたが、コスト削減には至っていない。
【０００５】
従来の枠組壁構造では、複数の板を釘により組み合わせて壁と床とを形成しており、各階の各壁構造体を連結する頭つなぎを設け、頭つなぎの上に根太を設け、根太の間にころび止めを設けて、壁構造体と床・天井とを釘で上部から打ちつけて緊結している。特に、各階壁と床との緊結は、各壁構造体を連結する頭つなぎがあるため、壁枠材から直接根太に釘が届かない。このため、根太側から斜めに釘打ちをする必要があり、緊結が脆弱な上に緊結の品質に問題があり、頭つなぎやころび止めの強度が軸組構造の床梁に比べて低い。また、各階床と小屋裏部分とに強度の高い梁材を有していないため、床の水平および垂直加重に対する強度が低いという課題があった。また、頭つなぎがあるため、壁枠材から直接釘が届かず、梁材を使用しても緊結するための必要な耐力が得られず、軸組構造で使用する強靭な梁を使用できない。このため、下階の耐力壁に上階の耐力壁を設けなければならず、間取りが制限されるという課題があった。頭つなぎやころび止めの強度が低いため、床からの垂直加重を支えられず、開口部などの上部に床の垂直加重を支える強度の高いマグサを設ける必要がある。このため、増改築が困難であるとともに、マグサや頭つなぎ等の施工工程数がかさみ、建築現場での施工に時間がかかるため、人件費が嵩むという課題もあった。なお、従来の枠組壁構造では、工場でのパネル化によって現場施工を省力化しているが、パネル作成図面作成や運送費が嵩み、全体コストを削減することが実現できていない。
【０００６】
本発明は、このような課題に着目してなされたもので、床および壁の双方の強度を高めることができ、総建築コストを低減することができる建物構造および建物の施工方法を提供することを目的としている。
【課題を解決するための手段】
【０００７】
上記目的を達成するために、本発明に係る建物構造は、面材と枠材とを一体化して形成された複数の壁構造体と、各壁構造体の上部に設けられた梁材とを、有することを特徴とする。
【０００８】
本発明に係る建物の施工方法は、最下階床板を敷設した後、前記最下階床板の上部に、面材と枠材とを一体化して形成された複数の壁構造体を立ち上げて壁を形成し、各壁構造体の上部に梁材を設け、前記梁材の上部に上階床板または小屋裏床板を敷設することを、特徴とする。
【０００９】
本発明に係る建物構造は、本発明に係る建物の施工方法により施工することができる。本発明に係る建物構造では、各壁構造体の上部に梁材が設けられているため、上階や小屋裏の床部分の、風圧力、地震力等に対する水平強度を高めることができる。この床の水平強度は、枠組壁構造に比べて高く、梁材を使用する軸組構造と同程度である。壁構造体により耐力壁を形成することにより、壁の強度を高めることができる。このときの壁の強度は、軸組構造に比べて高く、同様な壁構造体を使用する枠組壁構造と同程度である。このように、本発明に係る建物構造は、床および壁の双方の強度を高めることができ、建物全体の強度を高めることができる。
【００１０】
各壁構造体の上部に梁材を使用し、頭つなぎや耐力を要するマグサ等を使用しないため、材料の種類を減らすことができる。また、梁材の寸法を統一することにより、さらに材料の種類を減らすことができる。このため、材料費や材料の加工コストを低減することができる。材料の種類が少なく、壁にある開口部の上部に設けるマグサや、壁を形成した後に取り付ける頭つなぎ等を省略することにより、梁材の使用が可能となり、作業効率を高めて建築現場での施工時間を短縮することができ、人件費を低減することができる。このように、本発明に係る建物構造は、総建築コストを低減することができる。なお、梁材は、１本の板から成ってもよく、複数枚の板を貼り合わせた合せ梁から成っていてもよい。壁内部に敷設される柱は1本の角材から成ってもよく、複数枚の板を貼り合わせた柱からなっていてもよい。
【００１１】
壁構造体と床を形成する土台や梁などの横架材との緊結を、特殊な加工や金物をもちいることなく、現場での釘打ち等により容易に行うことができる。壁と床とを一体にボックス状に形成することができ、強度の向上が容易である。また、梁材の寸法を統一することにより、風圧力や地震力の応力を一部に集中させることなく各部材に均等に伝達し、基礎を通じて地盤に分散して建物全体の強度を高めることができる。
【００１２】
本発明に係る建物の施工方法は、最下階床板を敷設した後、前記最下階床板の上部に、面材と枠材とを一体化して形成された複数の最下階用壁構造体を立ち上げて最下階の壁を形成し、各最下階用壁構造体の上部に床梁材を設け、前記床梁材の上部に上階床板を敷設し、前記上階床板の上部に、面材と枠材とを一体化して形成された複数の上階用壁構造体を立ち上げて上階の壁を形成し、各上階用壁構造体の上部に天井梁材を設け、前記天井梁材の上部に小屋裏床板を敷設してもよい。この場合、最下階用壁構造体および上階用壁構造体の上部にそれぞれ床梁材および天井梁材が設けられているため、上階の床部分および小屋裏の床部分の水平強度を高めることができる。
【００１３】
本発明に係る建物構造は、小屋裏と複数のトラスとを有し、各トラスは矩形枠の内側に幅方向に沿った複数の横架材が取り付けられて梯子状に形成されており、小屋裏に各横架材が鉛直になるよう設けられ、垂木を前記矩形枠の上部側縁に対し垂直にして支持していることが好ましい。また、本発明に係る建物の施工方法は、前記小屋裏床板の上部に、矩形枠の内側に幅方向に沿った複数の横架材が取り付けられて梯子状に形成された複数のトラスを各横架材が鉛直になるように設け、各トラスの上部側縁に対して垂直に伸びるよう垂木を設置することが好ましい。このトラスを有する場合、梯子状に形成されたトラスにより垂木を支持するため、小屋組の強度を高めることができる。また、数種類の材料を組み合わせてホゾ加工などの仕口を加工しなければならない従来の軸組構造の小屋組に比べ、１種類の材料の切断および釘打ち作業だけで現場で容易かつ自由に組み立てることができるため、材料の管理コストや施工人件費を低減することができる。各トラスは、フィーレンデールトラスから成ることが好ましい。
【発明の効果】
【００１４】
本発明によれば、床および壁の双方の強度を高めることができ、総建築コストを低減することができる建物構造および建物の施工方法を提供することができる。
【発明を実施するための最良の形態】
【００１５】
以下、図面に基づき本発明の実施の形態について説明する。
図１乃至図７は、本発明の実施の形態の建物構造および建物の施工方法を示している。
図１に示すように、建物構造１０は、基礎１１と土台１２と最下階床板１３と最下階用壁構造体１４と床梁材１５と上階床板１６と上階用壁構造体１７と天井梁材１８と小屋裏床板１９とトラス２０と垂木２１とを有している。建物構造１０は、小屋裏を有する２階建て住宅である。但し、建物構造１０は３階建て住宅であってもよい。
【００１６】
図１に示すように、基礎１１は、鉄筋コンクリート製の基礎から成っている。基礎１１は、上方に突出したアンカーボルト３１を有している。
土台１２は、角材から成り、壁を立ち上げる位置に対応して、基礎１１の上に設けられている。土台１２は、アンカーボルト３１に固定されている。
最下階床板１３は、合板から成り、土台１２の上に敷設されて、最下階の床を形成している。
【００１７】
図１に示すように、最下階用壁構造体１４は、複数から成り、面材と枠材とを一体化してパネル状に形成されている。図２に示すように、枠材は、一本の角材または複数の板を貼り合わせて成る柱３２と縦枠材３３と上枠材３４と下枠材３５とから成っている。最下階用壁構造体１４は、最下階床板１３の上部に立ち上げて設けられ、最下階部分の外壁および内壁を形成している。最下階用壁構造体１４は、下枠材３５の上から最下階床板１３を貫通して土台１２まで、所定の間隔で釘を打ち込んで固定されている。最下階の外壁および内壁は、最下階用壁構造体１４により耐力壁になっている。なお、図１に示すように、最下階用壁構造体１４は、戸や窓などの開口部の上部に、薄い角材から成るマグサ３６を有している。
【００１８】
図１に示すように、床梁材１５は、所定の厚さと幅とを有し、所定の強度を有する角材から成っている。床梁材１５は、最下階用壁構造体１４の上部に直接設けられている。床梁材１５は、建物の外壁を形成する最下階用壁構造体１４の上に直接設けられた外周梁と、建物の内壁を形成する最下階用壁構造体１４の上に直接設けられた内部梁と、外周梁および内部梁のうちの２つの梁材を連結するよう設けられた根太梁とから成っている。図３に示すように、各床梁材１５は、接合金物３７によって接合されている。また、各床梁材１５は、最下階用壁構造体１４の上枠材３４の下から、所定の間隔で釘を打ち込んで固定されている。なお、図１に示すように、建物構造１０は、強度向上のため、床梁材１５のうち２つの梁材を連結するよう設けられた床合板受け３８を有している。
【００１９】
図１に示すように、上階床板１６は、合板から成り、床梁材１５および床合板受け３８の上に敷設されて、上階の床を形成している。
上階用壁構造体１７は、複数から成り、面材と枠材とを一体化してパネル状に形成されている。枠材は、一本の角材または複数の板を貼り合わせて成る柱と縦枠材と上枠材と下枠材とから成っている。上階用壁構造体１７は、上階床板１６の上部に立ち上げて設けられ、上階部分の外壁および内壁を形成している。上階用壁構造体１７は、下枠材の上から上階床板を貫通して床梁材１５まで、所定の間隔で釘を打ち込んで固定されている。上階の外壁および内壁は、上階用壁構造体１７により耐力壁になっている。なお、上階用壁構造体１７は、戸や窓などの開口部の上部に、薄い角材から成るマグサ３６を有している。
【００２０】
図４および図５に示すように、天井梁材１８は、端根太３９と外周根太４０とを併せた合せ梁から成り、所定の厚さと幅とを有し、所定の強度を有している。なお、天井梁材１８は、一本の木材または集成材から成っていてもよい。図１に示すように、天井梁材１８は、上階用壁構造体１７の上部に直接設けられている。天井梁材１８は、建物の外壁を形成する上階用壁構造体１７の上に直接設けられた外周梁と、建物の内壁を形成する上階用壁構造体１７の上に直接設けられた内部梁とから成っている。図４および図５に示すように、各天井梁材１８は、釘によって接合されている。各天井梁材１８は、上階用壁構造体１７の上枠材の下から、所定の間隔で釘を打ち込んで固定されている。なお、建物構造１０は、天井梁材１８のうち２つの梁材を連結するよう設けられた天井根太４１を有している。天井梁材１８は、端根太３９に対して天井根太４１を釘で打ち付けることにより、長尺の梁同士を合成した合せ梁を構成することに特徴を有している。天井梁材１８は、耐力壁である上階用壁構造体１７の頂部の上枠材と一体となって、頭つなぎの機能を兼ねると共に、長期鉛直荷重応力および短期水平荷重時応力を負担する耐力壁の頂部境界梁として応力伝達と剛性とを担保している。
【００２１】
図１に示すように、小屋裏床板１９は、合板から成り、天井梁材１８および天井根太４１の上に敷設され、釘で固定されている。
図１および図６に示すように、トラス２０は、矩形枠の内側に幅方向に沿った複数の横架材が取り付けられて梯子状に形成された、フィーレンデールトラスから成っている。トラス２０は、幅が異なる複数の大きさのものから成り、小屋裏に設けられている。トラス２０は、各横架材が鉛直になるよう小屋裏床板１９の上に配置されている。トラス２０は、建物の屋根の棟木の位置に、最も幅の大きいものが配置され、建物の屋根の傾斜に沿って、所定の間隔を開けて、棟木から軒に向かって幅の大きいものから順に配置されている。トラス２０は、屋根の形状、建物外周部からの勾配、および垂木２１の部材断面寸法により、間隔を決めて配置されている。なお、この場合でも、特殊な金物や加工を必要とせず、１種類の材料で釘打ちにより容易に施工可能になっている。
【００２２】
図１、図５および図６に示すように、垂木２１は、各トラス２０および天井梁材１８の上部側縁に、各トラス２０に対して垂直に伸びるよう設置され、釘により各トラス２０に固定され、接合金具４２により天井梁材１８に固定されている。垂木２１は、棟木から軒に向かって下方向に傾斜するよう設けられている。建物構造１０は、垂木２１の上に野地板を施工し、さらに屋根の仕上げ材のカラー鉄板や瓦などを取り付けて、屋根を形成可能になっている。
【００２３】
建物構造１０は、本発明の実施の形態の建物の施工方法により施工することができる。図７に示すように、まず、基礎１１の上に土台１２を設置し、土台１２の上に最下階床板１３を敷設して最下階である１階の床を形成する。最下階床板１３を敷設した後、最下階床板１３の上部に各最下階用壁構造体１４を立ち上げて、最下階である１階の外壁および内壁を形成する。各最下階用壁構造体１４の上部に直接床梁材１５を設け、床梁材１５の上部に上階床板１６を敷設して上階である２階の床を形成する。上階床板１６の上部に、各上階用壁構造体１７を立ち上げて上階である２階の外壁および内壁を形成する。各上階用壁構造体１７の上部に天井梁材１８を設け、天井梁材１８の上部に小屋裏床板１９を敷設する。小屋裏床板１９の上部に、各横架材が鉛直になるよう各トラス２０を設け、各トラス２０の上部側縁に、各トラス２０に対して垂直に伸びるよう垂木２１を設置する。
【００２４】
このように、建物構造１０では、最下階用壁構造体１４および上階用壁構造体１７の上部に床梁材１５および天井梁材１８が設けられているため、上階の床部分および小屋裏の床部分の、風圧力、地震力等に対する水平強度を高めることができる。この床の水平強度は、枠組壁構造に比べて高く、梁材を使用する軸組構造と同程度である。最下階用壁構造体１４および上階用壁構造体１７により耐力壁が形成されているため、壁の強度を高めることができる。このときの壁の強度は、軸組構造に比べて高く、同様な壁構造体を使用する枠組壁構造と同程度である。このように、建物構造１０は、床および壁の双方の強度を高めることができ、建物全体の強度を高めることができる。また、梯子状に形成されたトラス２０により垂木２１を支持するため、小屋組の強度を高めることもできる。また、数種類の材料を組み合わせてホゾ加工などの仕口を加工しなければならない従来の軸組構造の小屋組に比べ、１種類の材料の切断および釘打ち作業だけで現場で容易かつ自由に組み立てることができるため、材料の管理コストや施工人件費を低減することができる。
【００２５】
最下階用壁構造体１４および上階用壁構造体１７の上部に床梁材１５および天井梁材１８を使用し、頭つなぎや耐力を要するマグサ等を使用しないため、材料の種類を減らすことができる。また、床梁材１５および天井梁材１８の寸法をそれぞれ統一することにより、さらに材料の種類を減らすことができる。このため、材料費や在庫管理、材料の加工コストを低減することができる。材料の種類が少なく、壁にある開口部の上部に設けるマグサや、壁を形成した後に取り付ける頭つなぎ等を省略することにより、床梁材１５および天井梁材１８の使用が可能となり、作業効率を高めて建築現場での施工時間を短縮することができ、人件費を低減することができる。なお、具体的な一例では、使用される角材の断面サイズは、土台１２等に使用される９０ｍｍ×９０ｍｍ、柱３２や縦枠材３３、上枠材３４、下枠材３５、垂木２１等に使用される３８ｍｍ×９０ｍｍ、床梁材１５に使用される９０ｍｍ×２７０ｍｍ、天井梁材１８に使用される３８ｍｍ×１８４ｍｍの４種類である。長さが異なる場合でも、角材の種類は５種類となり、在来軸組構造の約１５種類、従来の枠組壁構造の１０種類程度に比べても少ない。このように、建物構造１０は、工場生産コストと現場生産コストとのバランスをとることができ、従来の軸組構造に比べて接合箇所を大幅に削減することができ、従来の枠組壁構造に対して現場生産人件費を削減することができ、総建築コストを低減することができる。
【００２６】
建物構造１０は、最下階用壁構造体１４および上階用壁構造体１７と、床を形成する土台１２や床梁材１５、天井梁材１８などの横架材との緊結を、特殊な加工や金物をもちいることなく、現場での釘打ち等により容易に行うことができる。壁と床とを一体にボックス状に形成することができるため、強度が高い。また、床梁材１５や天井梁材１８の寸法を統一することにより、風圧力や地震力の応力を一部に集中させることなく各部材に均等に伝達し、基礎を通じて地盤に分散して建物全体の強度を高めることができる。
【００２７】
建物構造１０は、頭つなぎを省略して床梁材１５および天井梁材１８を使用することができるため、床の水平強度を高め、垂直加重に対するたわみ剛性も確保することができる。また、強靭な床梁材１５により、耐力壁に上下階でずれが生じても構造耐力を維持することができ、従来の枠組壁構造に比べて間取りの自由度を高めることができる。なお、従来の枠組壁構造で使用される頭つなぎやころび止めは、それ自体の強度が低いため、構造計算では考慮されていない。これに対し、建物構造１０では、頭つなぎやころび止めを使用せず、強度が高い床梁材１５や天井梁材１８を使用するため、これらを構造計算に取り込むことができる。
【００２８】
従来の枠組壁構造では、床のたわみおよび水平強度が低いため、壁構造体の開口部の上部に使用されるマグサとして、床から伝わる垂直荷重を支えることができる耐力を要する材料を使用する必要があった。これに対し、建物構造１０では、床の垂直荷重およびたわみに対し十分な強度を有する床梁材１５および天井梁材１８を使用するため、最下階用壁構造体１４や上階用壁構造体１７の開口部の上部に使用されるマグサ３６には耐力が不要であり、薄い角材を使用することかできる。
【００２９】
このように、建物構造１０は、従来の軸組構造および枠組壁構造の短所を改善し、従来の軸組構造および枠組壁構造の長所を併せ持った構造を成している。
【図面の簡単な説明】
【００３０】
【図１】本発明の実施の形態の建物構造を示す斜視図である。
【図２】図１に示す建物構造の最下階用壁構造体の（ａ）斜視図、（ｂ）取付状態を示す斜視図である。
【図３】図１に示す建物構造の床梁材の（ａ）第１の取付状態を示す斜視図、（ｂ）第２の取付状態を示す斜視図、（ｃ）第３の取付状態を示す斜視図、（ｄ）根太梁の取付状態を示す斜視図である。
【図４】図１に示す建物構造の天井梁材の（ａ）斜視図、（ｂ）第１の取付状態を示す斜視図、（ｃ）第２の取付状態を示す斜視図である。
【図５】図１に示す建物構造の小屋組肩部の側面図である。
【図６】図１に示す建物構造の小屋組の（ａ）斜視図、（ｂ）側面図である。
【図７】本発明の実施の形態の建物の施工方法を示すフローチャートおよび斜視図である。
【符号の説明】
【００３１】
１０  建物構造
１１  基礎
１２  土台
１３  最下階床板
１４  最下階用壁構造体
１５  床梁材
１６  上階床板
１７  上階用壁構造体
１８  天井梁材
１９  小屋裏床板
２０  トラス
２１  垂木
３１  アンカーボルト
３２  柱
３３  縦梁材
３４  上梁材
３５  下梁材
３６  マグサ
３７  接合金物
３８  床合板受け
３９  端根太
４０  外周根太
４１  天井根太
４２  接合金物
【図１】
2008223358.tif 000003
【図２】
2008223358.tif 000004
【図３】
2008223358.tif 000005
【図４】
2008223358.tif 000006
【図５】
2008223358.tif 000007
【図６】
2008223358.tif 000008
【図７】
2008223358.tif 000009
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
最下階床板を敷設した後、前記最下階床板の上部に、面材と枠材とを一体化して形成された複数の壁構造体を立ち上げて壁を形成し、各壁構造体の上部に梁材を設け、前記梁材の上部に上階床板または小屋裏床板を敷設することを、特徴とする建物の施工方法。
【請求項２】
最下階床板を敷設した後、前記最下階床板の上部に、面材と枠材とを一体化して形成された複数の最下階用壁構造体を立ち上げて最下階の壁を形成し、各最下階用壁構造体の上部に床梁材を設け、前記床梁材の上部に上階床板を敷設し、前記上階床板の上部に、面材と枠材とを一体化して形成された複数の上階用壁構造体を立ち上げて上階の壁を形成し、各上階用壁構造体の上部に天井梁材を設け、前記天井梁材の上部に小屋裏床板を敷設することを、特徴とする建物の施工方法。
【請求項３】
前記小屋裏床板の上部に、矩形枠の内側に幅方向に沿った複数の横架材が取り付けられて梯子状に形成された複数のトラスを各横架材が鉛直になるように設け、各トラスの上部側縁に対して垂直に伸びるよう垂木を設置することを、特徴とする請求項１または２記載の建物の施工方法。
【手続補正３】
【補正対象書類名】明細書
【補正対象項目名】０００１
【補正方法】変更
【補正の内容】
【０００１】
本発明は、建物の施工方法に関する。
【手続補正４】
【補正対象書類名】明細書
【補正対象項目名】０００６
【補正方法】変更
【補正の内容】
【０００６】
本発明は、このような課題に着目してなされたもので、床および壁の双方の強度を高めることができ、総建築コストを低減することができる建物の施工方法を提供することを目的としている。
【手続補正５】
【補正対象書類名】明細書
【補正対象項目名】０００７
【補正方法】変更
【補正の内容】
【０００７】
上記目的を達成するために、本発明に関し、建物構造は、面材と枠材とを一体化して形成された複数の壁構造体と、各壁構造体の上部に設けられた梁材とを、有することを特徴とする。
【手続補正６】
【補正対象書類名】明細書
【補正対象項目名】０００９
【補正方法】変更
【補正の内容】
【０００９】
本発明に関する建物構造は、本発明に係る建物の施工方法により施工することができる。本発明に関する建物構造では、各壁構造体の上部に梁材が設けられているため、上階や小屋裏の床部分の、風圧力、地震力等に対する水平強度を高めることができる。この床の水平強度は、枠組壁構造に比べて高く、梁材を使用する軸組構造と同程度である。壁構造体により耐力壁を形成することにより、壁の強度を高めることができる。このときの壁の強度は、軸組構造に比べて高く、同様な壁構造体を使用する枠組壁構造と同程度である。このように、本発明に関する建物構造は、床および壁の双方の強度を高めることができ、建物全体の強度を高めることができる。
【手続補正７】
【補正対象書類名】明細書
【補正対象項目名】００１０
【補正方法】変更
【補正の内容】
【００１０】
各壁構造体の上部に梁材を使用し、頭つなぎや耐力を要するマグサ等を使用しないため、材料の種類を減らすことができる。また、梁材の寸法を統一することにより、さらに材料の種類を減らすことができる。このため、材料費や材料の加工コストを低減することができる。材料の種類が少なく、壁にある開口部の上部に設けるマグサや、壁を形成した後に取り付ける頭つなぎ等を省略することにより、梁材の使用が可能となり、作業効率を高めて建築現場での施工時間を短縮することができ、人件費を低減することができる。このように、本発明に関する建物構造は、総建築コストを低減することができる。なお、梁材は、１本の板から成ってもよく、複数枚の板を貼り合わせた合せ梁から成っていてもよい。壁内部に敷設される柱は1本の角材から成ってもよく、複数枚の板を貼り合わせた柱からなっていてもよい。
【手続補正８】
【補正対象書類名】明細書
【補正対象項目名】００１３
【補正方法】変更
【補正の内容】
【００１３】
本発明に関し、建物構造は、小屋裏と複数のトラスとを有し、各トラスは矩形枠の内側に幅方向に沿った複数の横架材が取り付けられて梯子状に形成されており、小屋裏に各横架材が鉛直になるよう設けられ、垂木を前記矩形枠の上部側縁に対し垂直にして支持していることが好ましい。また、本発明に係る建物の施工方法は、前記小屋裏床板の上部に、矩形枠の内側に幅方向に沿った複数の横架材が取り付けられて梯子状に形成された複数のトラスを各横架材が鉛直になるように設け、各トラスの上部側縁に対して垂直に伸びるよう垂木を設置することが好ましい。このトラスを有する場合、梯子状に形成されたトラスにより垂木を支持するため、小屋組の強度を高めることができる。また、数種類の材料を組み合わせてホゾ加工などの仕口を加工しなければならない従来の軸組構造の小屋組に比べ、１種類の材料の切断および釘打ち作業だけで現場で容易かつ自由に組み立てることができるため、材料の管理コストや施工人件費を低減することができる。各トラスは、フィーレンデールトラスから成ることが好ましい。
【手続補正９】
【補正対象書類名】明細書
【補正対象項目名】００１４
【補正方法】変更
【補正の内容】
【００１４】
本発明によれば、床および壁の双方の強度を高めることができ、総建築コストを低減することができる建物の施工方法を提供することができる。
【手続補正１０】
【補正対象書類名】明細書
【補正対象項目名】００１５
【補正方法】変更
【補正の内容】
【００１５】
以下、図面に基づき本発明の実施の形態について説明する。
図１乃至図７は、本発明の概念を示す建物構造および本発明の実施の形態の建物の施工方法を示している。
図１に示すように、建物構造１０は、基礎１１と土台１２と最下階床板１３と最下階用壁構造体１４と床梁材１５と上階床板１６と上階用壁構造体１７と天井梁材１８と小屋裏床板１９とトラス２０と垂木２１とを有している。建物構造１０は、小屋裏を有する２階建て住宅である。但し、建物構造１０は３階建て住宅であってもよい。
【手続補正１１】
【補正対象書類名】明細書
【補正対象項目名】００３０
【補正方法】変更
【補正の内容】
【００３０】
【図１】本発明の概念を示す建物構造を示す斜視図である。
【図２】図１に示す建物構造の最下階用壁構造体の（ａ）斜視図、（ｂ）取付状態を示す斜視図である。
【図３】図１に示す建物構造の床梁材の（ａ）第１の取付状態を示す斜視図、（ｂ）第２の取付状態を示す斜視図、（ｃ）第３の取付状態を示す斜視図、（ｄ）根太梁の取付状態を示す斜視図である。
【図４】図１に示す建物構造の天井梁材の（ａ）斜視図、（ｂ）第１の取付状態を示す斜視図、（ｃ）第２の取付状態を示す斜視図である。
【図５】図１に示す建物構造の小屋組肩部の側面図である。
【図６】図１に示す建物構造の小屋組の（ａ）斜視図、（ｂ）側面図である。
【図７】本発明の実施の形態の建物の施工方法を示すフローチャートおよび斜視図である。
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
最下階床板を敷設した後、前記最下階床板の上部に、面材と枠材とを一体化して形成された複数の壁構造体を立ち上げて壁を形成し、
各壁構造体の上部に梁材を設け、
前記梁材の上部に小屋裏床板を敷設し、
前記小屋裏床板の上部に、矩形枠の内側に幅方向に沿った複数の横架材が取り付けられて梯子状に形成された幅が異なる複数の大きさのトラスを、各横架材が鉛直になるよう、屋根の勾配に沿って所定の間隔を開けて棟木から軒に向かって幅の大きいものから順に設け、
各トラスの上部側縁に対して垂直に伸びるよう垂木を設置することを、
特徴とする建物の施工方法。
【請求項２】
最下階床板を敷設した後、前記最下階床板の上部に、面材と枠材とを一体化して形成された複数の最下階用壁構造体を立ち上げて最下階の壁を形成し、
各最下階用壁構造体の上部に床梁材を設け、
前記床梁材の上部に上階床板を敷設し、
前記上階床板の上部に、面材と枠材とを一体化して形成された複数の上階用壁構造体を立ち上げて上階の壁を形成し、
各上階用壁構造体の上部に天井梁材を設け、
前記天井梁材の上部に小屋裏床板を敷設し、
前記小屋裏床板の上部に、矩形枠の内側に幅方向に沿った複数の横架材が取り付けられて梯子状に形成された幅が異なる複数の大きさのトラスを、各横架材が鉛直になるよう、屋根の勾配に沿って所定の間隔を開けて棟木から軒に向かって幅の大きいものから順に設け、
各トラスの上部側縁に対して垂直に伸びるよう垂木を設置することを、
特徴とする建物の施工方法。
【手続補正２】
【補正対象書類名】明細書
【補正対象項目名】０００８
【補正方法】変更
【補正の内容】
【０００８】
本発明に係る建物の施工方法は、最下階床板を敷設した後、前記最下階床板の上部に、面材と枠材とを一体化して形成された複数の壁構造体を立ち上げて壁を形成し、各壁構造体の上部に梁材を設け、前記梁材の上部に小屋裏床板を敷設し、前記小屋裏床板の上部に、矩形枠の内側に幅方向に沿った複数の横架材が取り付けられて梯子状に形成された幅が異なる複数の大きさのトラスを、各横架材が鉛直になるよう、屋根の勾配に沿って所定の間隔を開けて棟木から軒に向かって幅の大きいものから順に設け、各トラスの上部側縁に対して垂直に伸びるよう垂木を設置することを、特徴とする。
【手続補正３】
【補正対象書類名】明細書
【補正対象項目名】００１２
【補正方法】変更
【補正の内容】
【００１２】
本発明に係る建物の施工方法は、最下階床板を敷設した後、前記最下階床板の上部に、面材と枠材とを一体化して形成された複数の最下階用壁構造体を立ち上げて最下階の壁を形成し、各最下階用壁構造体の上部に床梁材を設け、前記床梁材の上部に上階床板を敷設し、前記上階床板の上部に、面材と枠材とを一体化して形成された複数の上階用壁構造体を立ち上げて上階の壁を形成し、各上階用壁構造体の上部に天井梁材を設け、前記天井梁材の上部に小屋裏床板を敷設し、前記小屋裏床板の上部に、矩形枠の内側に幅方向に沿った複数の横架材が取り付けられて梯子状に形成された幅が異なる複数の大きさのトラスを、各横架材が鉛直になるよう、屋根の勾配に沿って所定の間隔を開けて棟木から軒に向かって幅の大きいものから順に設け、各トラスの上部側縁に対して垂直に伸びるよう垂木を設置してもよい。この場合、最下階用壁構造体および上階用壁構造体の上部にそれぞれ床梁材および天井梁材が設けられているため、上階の床部分および小屋裏の床部分の水平強度を高めることができる。
【手続補正４】
【補正対象書類名】明細書
【補正対象項目名】００１３
【補正方法】変更
【補正の内容】
【００１３】
本発明に関し、建物構造は、小屋裏と複数のトラスとを有し、各トラスは矩形枠の内側に幅方向に沿った複数の横架材が取り付けられて梯子状に形成されており、小屋裏に各横架材が鉛直になるよう設けられ、垂木を前記矩形枠の上部側縁に対し垂直にして支持していることが好ましい。また、本発明に係る建物の施工方法は、梯子状に形成されたトラスにより垂木を支持するため、小屋組の強度を高めることができる。また、数種類の材料を組み合わせてホゾ加工などの仕口を加工しなければならない従来の軸組構造の小屋組に比べ、１種類の材料の切断および釘打ち作業だけで現場で容易かつ自由に組み立てることができるため、材料の管理コストや施工人件費を低減することができる。各トラスは、フィーレンデールトラスから成ることが好ましい。